(57)【要約】【課題】複数枚積層蓄積しても隣接するものが密着しにくく、ファイルの表紙に取り付けたときに表紙との間に隙間を生じさせることができる構造のポケット部材と、その積層蓄積方法を得る。【解決手段】ファイル１０は、表紙１２を含む。表紙１２の内側に、ポケット部材１６を溶着することにより、ポケット１４を形成する。ポケット部材１６の一方面に、突起２２を形成する。表紙１２とポケット部材１６との間に突起２２を配置することにより、表紙１２とポケット部材１６との間に隙間を生じさせる。また、複数のポケット部材１６を積層して蓄積するとき、全てのポケット部材１６について、突起２２を同じ向きとなるように配置することにより、隣接するポケット部材１６が密着せず、吸引チャックなどで１枚ずつポケット部材１６を持ち上げることができる。【選択図】　　　図１
2004082498.tif 000002
【特許請求の範囲】
【請求項１】
シート状の基材に取り付けられてポケットを形成するためのポケット部材であって、
熱溶融性を有するシートで形成され、その一方面に突起が形成されたことを特徴とする、ポケット部材。
【請求項２】
シート状の基材に取り付けられてポケットを形成するためのポケット部材の積層蓄積方法であって、
熱溶融性を有するシートで形成され、その一方面に突起が形成された複数の前記ポケット部材が、前記突起を同じ向きに配置した状態で積層されて蓄積されることを特徴とする、ポケット部材の積層蓄積方法。
【請求項３】
隣接する前記ポケット部材の前記突起が、互いにずれた位置に形成されていることを特徴とする、請求項２に記載のポケット部材の積層蓄積方法。
【発明の詳細な説明】
【０００１】
【発明の属する技術分野】
この発明は、ポケット部材およびその積層蓄積方法に関し、特に、たとえばファイルなどの表紙に取り付けてポケットを形成するためのポケット部材と、それを積層して蓄積するためのポケット部材の積層蓄積方法に関する。
【０００２】
【従来の技術】
図９は従来のポケット部材を用いたファイルの一例を示す平面図であり、図１０はポケット形成部分の拡大平面図である。ファイル１は、表紙３を含む。表紙３は、たとえば厚さ１ｍｍ程度のポリプロピレン製シートなどで形成される。表紙３の内側表面には、平面略三角形状のポケット部材５が取り付けられ、ポケット７が形成される。ポケット部材５は、たとえば厚さ０．２ｍｍ程度のポリプロピレン製シートなどで形成される。
【０００３】
このようなファイル１を製造するために、図１１に示すように、複数枚のポケット部材５が積層されて蓄積される。これらのポケット部材５の中の１枚が吸引チャックで持ち上げられ、表紙３側に移動させられる。ポケット部材５は、表紙３に重ねられ、２つの辺部分を溶着することによって表紙３に取り付けられる。このようにして形成されたポケット７には、たとえば書類などが挟み込まれる。
【０００４】
【発明が解決しようとする課題】
しかしながら、このようなポケット部材では、積層蓄積したときに、隣接するポケット部材が密着して離れにくくなる。そのため、吸引チャックで持ち上げるときに、複数枚のポケット部材が持ち上げられる場合がある。そのため、表紙にポケット部材を取り付けることが困難である。また、このようなポケット部材を用いて表紙にポケットを形成すると、表紙とポケット部材とが密着して、書類などを挟み込みにくいという問題がある。
【０００５】
それゆえに、この発明の主たる目的は、複数枚積層蓄積しても隣接するものが密着しにくく、ファイルの表紙に取り付けたときに表紙との間に隙間を生じさせることができる構造のポケット部材と、その積層蓄積方法を提供することである。
【０００６】
【課題を解決するための手段】
この発明は、シート状の基材に取り付けられてポケットを形成するためのポケット部材であって、熱溶融性を有するシートで形成され、その一方面に突起が形成されたことを特徴とする、ポケット部材である。
また、この発明は、シート状の基材に取り付けられてポケットを形成するためのポケット部材の積層蓄積方法であって、熱溶融性を有するシートで形成され、その一方面に突起が形成された複数のポケット部材が、突起を同じ向きに配置した状態で積層されて蓄積されることを特徴とする、ポケット部材の積層蓄積方法である。
このようなポケット部材の積層蓄積方法において、隣接するポケット部材の突起が、互いにずれた位置に形成されていることが好ましい。
【０００７】
ポケット部材の一方面に突起が形成されていることにより、突起を同じ向きに配置し、複数枚のポケット部材を積層して蓄積することにより、隣接するポケット部材間に隙間が生じる。そのため、吸引チャックでポケット部材を持ち上げるとき、複数枚のポケット部材が同時に持ち上げられることがなく、１枚ずつポケット部材を持ち上げることができる。
このとき、隣接するポケット部材について、突起の形成位置がずれていれば、突起によって、ポケット部材の撓みが発生しにくい状態で支えられる。そのため、ポケット部材の撓みによって、隣接するポケット部材が密着することを防止することができる。
また、このようなポケット部材をファイルの表紙などのような基材に取り付けてポケットを形成すれば、突起によって基材とポケット部材との間に隙間が生じ、ポケットに書類などを挟み込みやすくなる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１はこの発明のポケット部材を用いたファイルの一例を示す平面図であり、図２はポケット形成部分の拡大平面図である。ファイル１０は、表紙１２を含む。表紙１２は、たとえば厚さ１ｍｍ程度のポリプロピレン製シートなどのような、熱溶融性の基材で形成される。表紙１２の背表紙部分には、たとえばリングバインダなどが取り付けられる。表紙１２の内側には、ポケット１４が形成される。ポケット１４は、表紙１２にポケット部材１６を溶着することによって形成される。ポケット部材１４は、たとえば厚さ０．２ｍｍ程度のポリプロピレン製シートなどのような、熱溶融性のシートで形成される。
【００１０】
ポケット部材１６は、略三角形状に形成される。ポケット部材１６は、略直交する２つの辺１６ａを有し、これらの辺１６ａが表紙１２の直交する端縁部に沿って配置される。そして、表紙１２の直交する２つの端縁部に沿って、複数の溶着部１８において溶着される。
【００１１】
ポケット部材１６の略中央部には、たとえば３つの切れ目２０が形成され、これらの切れ目２０にクレジットカードなどの角部を挟むことによって、カードを保持することができるようになっている。さらに、ポケット部材１６の一方面には、その端縁部に沿って複数の突起２２が形成される。これらの突起２２は、表紙１２側に向かって突出するように配置される。このような配置とすることにより、表紙１２とポケット部材１６との間に隙間が形成される。このような隙間が形成されることにより、ポケット１４に書類などを挟み込みやすくすることができる。
【００１２】
ポケット１４を形成するために、ポケット部材１６として、図３（Ａ）（Ｂ）に示すように、突起２２の形成位置の異なる２種類のポケット部材１６Ａ，１６Ｂが準備される。突起２２は、ポケット部材１６Ａ，１６Ｂの端縁部に沿って、複数個形成される。そして、２種類のポケット部材１６Ａ，１６Ｂにおいては、その端縁部に沿って、互いにずれた位置に突起２２が形成される。突起２２は、たとえば、ポケット部材１６Ａ，１６Ｂの面に突状物を押し当てることにより形成される。
【００１３】
これらの２種類のポケット部材１６Ａ，１６Ｂを形成するために、たとえば図４に示すように、大きい熱溶融性シート２６が準備される。そして、この熱溶融性シート２６から、トムソン抜きによってポケット部材１６Ａ，１６Ｂが形成される。これらのポケット部材１６Ａ，１６Ｂが、表紙１２に取り付けられるために、図５に示すように、積層して蓄積される。
【００１４】
ポケット部材１６Ａ，１６Ｂを積層して蓄積する際に、図６に示すように、ずれた位置に突起２２が形成されたポケット部材１６Ａ，１６Ｂが交互に積層される。このとき、全てのポケット部材１６Ａ，１６Ｂの突起２２が同じ向きに配置されるようにして、ポケット部材１６Ａ，１６Ｂが積層蓄積される。図６に示す例では、突起２２が下向きに配置されるようにして、ポケット部材１６Ａ，１６Ｂが交互に積層蓄積されている。
【００１５】
このような積層蓄積方法を採用することにより、突起２２によって、隣接するポケット部材１６Ａ，１６Ｂの間に隙間が形成される。この状態で、吸引チャックによって、ポケット部材１６Ａ，１６Ｂが、上から順番に持ち上げられ、表紙１２側に移動させられる。そして、表紙１２にポケット部材１６Ａ，１６Ｂの一方が載置され、溶着することによって、ポケット１４が形成される。このとき、ポケット部材１６Ａ，１６Ｂの溶着される辺１６ａに沿って形成された突起２２は、溶着することによって消滅するが、ポケット１４の開口部に沿って形成された突起２２は残るため、表紙１２とポケット部材１６との間に隙間を形成することができる。
【００１６】
このように、ポケット部材１６Ａ，１６Ｂの一方面に突起２２を形成することにより、複数枚のポケット部材１６Ａ，１６Ｂを積層して蓄積するとき、隣接するポケット部材１６Ａ，１６Ｂ間に隙間を形成することができる。そのため、吸引チャックでポケット部材１６Ａ，１６Ｂの一方を持ち上げたとき、隣接するポケット部材が持ち上がるのを防止することができる。そのため、ファイル１０の製造を効率よく行うことができる。
【００１７】
なお、ポケット部材１６Ａ，１６Ｂを積層して蓄積する場合、図７に示すように、突起２２が上向きとなるように配置してもよい。このような場合においても、突起２２によって、隣接するポケット部材１６Ａ，１６Ｂの間に隙間を形成することができる。したがって、吸引チャックなどを用いて、１枚ずつポケット部材１６Ａ，１６Ｂを持ち上げることができ、ファイル１０の製造の効率化を図ることができる。
【００１８】
また、上述の例では、ポケット部材１６Ａ，１６Ｂには、互いにずれた位置に突起２２が形成されているが、図８に示すように、全てのポケット部材１６について、同じ位置に突起２２を形成してもよい。このような突起２２を形成した場合においても、隣接するポケット部材１６間に隙間を形成することができ、吸引チャックで移動させるときに、１枚のポケット部材１６のみを持ち上げることができる。しかしながら、突起２２間でポケット部材１６に撓みが生じるため、複数枚のポケット部材１６の同じ部分に撓みが生じると、撓んだ部分でポケット部材１６が密着する可能性がある。それに対して、互いにずれた位置に突起２２を形成したポケット部材１６Ａ，１６Ｂを用いれば、ポケット部材の撓んだ部分が突起２２で支えられ、ポケット部材１６Ａ，１６Ｂの密着を防止することができる。したがって、隣接するポケット部材の密着を防止するためには、互いにずれた位置に突起が形成されたポケット部材１６Ａ，１６Ｂを用いることが好ましい。
【００１９】
また、上述のように、表紙１２とポケット部材１６との間に突起２２を配置することにより、書類を挟み込みやすくすることができるが、このような突起２２の配置とするためには、図６や図８に示すように、突起２２が下向きとなるようにポケット部材１６を積層することが好ましい。このような突起２２の配置でポケット部材１６を積層蓄積しておけば、そのままの向きで吸引チャックによりポケット部材１６を移動させ、表紙１２に取り付けることにより、表紙１２とポケット部材１６との間に隙間を形成することができる。
【００２０】
【発明の効果】この発明によれば、ポケット部材の一方面に突起を形成することにより、突起によってファイルの表紙とポケット部材との間に隙間を形成することができ、ポケットに書類などを挟み込みやすくすることができる。また、ポケット付きのファイルを製造する際に、ポケット部材を積層して蓄積したとき、隣接するポケット部材間に隙間を生じさせることができ、ポケット部材を１枚だけ持ち上げて、表紙側に移動させることができる。そのため、ファイルの製造の効率化を図ることができる。
【図面の簡単な説明】
【図１】この発明のポケット部材を用いたファイルの一例を示す平面図である。
【図２】図１に示すファイルのポケット形成部を示す拡大平面図である。
【図３】（Ａ）および（Ｂ）は、互いにずれた位置に突起が形成されたポケット部材を示す平面図である。
【図４】大きい熱溶融性シートから２種類のポケット部材を形成する様子を示す平面図である。
【図５】複数のポケット部材を積層蓄積する様子を示す斜視図である。
【図６】突起を下方に配置して複数のポケット部材を積層蓄積したときの図解図である。
【図７】突起を上方に配置して複数のポケット部材を積層蓄積したときの図解図である。
【図８】同じ位置に突起が形成されたポケット部材を積層蓄積したときの図解図である。
【図９】従来のホケット部材を用いたファイルの一例を示す平面図である。
【図１０】図９に示すファイルのポケット形成部を示す拡大平面図である。
【図１１】図９に示すファイルに用いられるポケット部材を積層蓄積したときの図解図である。
【符号の説明】
１０　ファイル
１２　表紙
１４　ポケット
１６（１６Ａ，１６Ｂ）　ポケット部材
２２　突起
【図１】
2004082498.tif 000003
【図２】
2004082498.tif 000004
【図３】
2004082498.tif 000005
【図４】
2004082498.tif 000006
【図５】
2004082498.tif 000007
【図６】
2004082498.tif 000008
【図７】
2004082498.tif 000009
【図８】
2004082498.tif 000010
【図９】
2004082498.tif 000011
【図１０】
2004082498.tif 000012
【図１１】
2004082498.tif 000013